(57)【要約】【課題】１つの端子台に複数の圧着端子を固定しても、互いに圧着端子が邪魔し合うことなく、視認性及び作業性を向上できる圧着端子及び圧着端子の取付け構造を提供すること。【解決手段】平面状の板状部１１にネジを挿通するネジ穴１３を有しネジにより端子台４に固定される基板部１０と、基板部１０の外縁から所定方向Ｉに延出して形成され電線を圧着し固定する固定部１２と、を備えた圧着端子１であって、固定部１２は、固定部１２に固定された電線の中心線で所定方向Ｉに延びる第１中心線Ｂが、ネジ穴１３の中心を通り基板部１０の板状部１１に垂直な第２中心線Ａと交差しないように第２中心線Ａを含み所定方向Ｉに延びる中央平面に対して一方向側に偏った位置に形成されている。【選択図】図１
2010244890.tif 000002
【特許請求の範囲】
【請求項１】
平面状の板状部と前記板状部に形成されネジが挿通可能なネジ穴とを有する基板部と、
前記基板部における外縁から所定方向に延出して形成され、前記所定方向に沿うように配置された電線を固定する固定部と、を備え、
前記固定部は、該固定部に固定された電線の中心線であり前記所定方向に延びる第１中心線が、前記ネジ穴の中心を通り前記基板部における板状部に垂直な第２中心線と交差しないように形成される圧着端子。
【請求項２】
前記固定部は、前記第２中心線を含み前記所定方向に延びる中央平面に対して一方側に位置されると共に、前記中央平面と交差しないように形成されている請求項１に記載の圧着端子。
【請求項３】
前記固定部は、前記第２中心線を含み前記所定方向に延びる中央平面に対して一方側に位置されると共に、前記中央平面と交差するように形成されている請求項１に記載の圧着端子。
【請求項４】
前記固定部は、前記所定方向に延び前記電線を挿入可能な筒状部を有する請求項１〜３のいずれかに記載の圧着端子。
【請求項５】
請求項２に記載の圧着端子であって前記第１中心線が前記中央平面に対して一方側に配置される第１圧着端子と、請求項２に記載の圧着端子であって前記第１中心線が前記中央平面に対して前記第１圧着端子とは反対側の他方側に位置する第２圧着端子とを、１つのネジにより所定の端子台に取付ける圧着端子の取付け構造であって、
前記第１圧着端子における基板部は、前記端子台における所定位置に配置され、
前記第２圧着端子における基板部は、前記第１圧着端子における基板部に積層配置されると共に、前記第１圧着端子における中央平面と前記第２圧着端子における中央平面とが略重なるように配置され、
前記第１圧着端子における固定部は、該固定部に固定される電線の前記第１中心線が前記中央平面に対して一方側に位置するように配置され、
前記第２圧着端子における固定部は、該固定部に固定される前記第１中心線が前記中央平面に対して他方側に位置するように配置されている圧着端子の取付け構造。
【請求項６】
請求項２又は３に記載の圧着端子を、１つのネジにより所定の端子台に取付ける圧着端子の取付け構造であって、
前記端子台は、
端子台側ネジ穴が形成され、前記圧着端子における基板部が配置される取付け部と、
前記取付け部の近傍であって、前記第２中心線方向における取付け部側と反対の上面側から見た場合における右側に形成される壁部と、を有し、
前記圧着端子における固定部は、
該固定部に固定される電線の前記第１中心線が、前記中央平面よりも前記壁部側に近く位置するように取付けられている圧着端子の取付け構造。
【請求項７】
請求項２又は３に記載の圧着端子である第３圧着端子と、前記第３圧着端子と同じ形状である第４圧着端子とを、１つのネジにより所定の端子台に取付ける圧着端子の取付け構造であって、
前記第３圧着端子における基板部は、前記端子台における所定位置に配置され、
前記第４圧着端子における基板部は、前記第３圧着端子における基板部に表裏反転して積層配置されると共に、前記第３圧着端子の中央平面と前記第４圧着端子の中央平面とが略重なるように配置され、
前記第３圧着端子における固定部は、該固定部に固定される電線の前記第１中心線が前記中央平面に対して一方側に位置するように配置され、
前記第４圧着端子における固定部は、該固定部に固定される電線の前記第１中心線が前記中央平面に対して他方側に位置するように配置されている圧着端子の取付け構造。
【請求項８】
請求項２に記載の圧着端子であって前記第１中心線が前記中央平面に対して一方側に配置される第１圧着端子と、請求項２に記載の圧着端子であって前記第１中心線が前記中央平面に対して前記第１圧着端子とは反対側の他方側に位置する第２圧着端子とを、第１取付け部及び第２取付け部を有する第１段部と第３取付け部を有し第１方向において前記第１段部と略平行な第２段部と、を有する端子台に取付ける圧着端子の取付け構造であって、
前記第２取付け部は、前記第１取付け部に対して第２方向に並んで配置され、
前記第３取付け部は、前記第２方向において、前記第１取付け部と前記第２取付け部との間に配置され、
前記第１圧着端子における基板部は、前記第１段部における第１取付け部に配置され、
前記第２圧着端子における基板部は、前記第１段部における第２取付け部に配置され、
前記第１圧着端子における固定部は、該固定部に固定される電線の前記第１中心線が前記第１圧着端子の中央平面に対して前記第２圧着端子側と反対側に配置され、
前記第２圧着端子における固定部は、該固定部に固定される電線の前記第１中心線が前記第２圧着端子の中央平面に対して前記第１圧着端子側と反対側に配置されている圧着端子の取付け構造。
【発明の詳細な説明】
【技術分野】
【０００１】
本発明は、電線を圧着固定して端子台に取付ける圧着端子及び圧着端子の取付け構造に関する。
【背景技術】
【０００２】
電気設備の制御盤等の機器相互の配線に使用される圧着端子として、従来は、図１５に示される構造のものが一般的に使用されていた。図１５は、端子台に複数の圧着端子を並列配置し、これら圧着端子をネジによって端子台に固定した従来の圧着端子の取付け構造を示す平面図である。
【０００３】
図１５に示すように、圧着端子１１０を固定する端子台２０は、絶縁部材からなり、平面視矩形状の取付け部２１が形成されている。この取付け部２１は、内周壁２１ａと底面を有し端子台２０の一方に向けて開口する凹部に形成されている。取付け部２１の底面には、短冊状の導電端子部２０ａを有すると共に、中央部にネジ２２を螺合するためのネジ穴（図示せず）を有している。また、取付け部２１は、圧着端子１１０の端子基板部１１１を収容できるように、端子基板部１１１よりも若干大きめに形成されている。
【０００４】
圧着端子１１０は、端子台２０の取付け部２１底面の導電端子部２０ａにネジ２２によって固定される端子基板部１１１と、該端子基板部１１１の外周縁の一部から所定方向に延出し電線３０を圧着固定して接続する固定部１１２とを備え、導電性の金属から構成される。この固定部１１２は、端子基板部１１１の中央部に設けられている。即ち、固定部１１２は、該固定部１１２に圧着固定された電線３０の中心線Ｂ１が、ネジ穴の中心線Ａ１（図１５では、点で示す）と交差するように形成されている。
【０００５】
電線３０は、端部が固定部１１２と圧着されることで固定される。なお、電線３０が圧着固定された固定部１１２には、図１５に示すように、ゴム製の絶縁キャップ３２が被せられ、絶縁されている。
【０００６】
上記のように構成された圧着端子１１０は、図１５に示すように、端子基板部１１１が端子台２０の取付け部２１の導電端子部２０ａにネジ２２によって固定状態に取付けられる。
【０００７】
また、従来の圧着端子として、例えば特許文献１に示すような構成のものが提案されている。この特許文献１に示される従来の圧着端子は、平面状の板状部とネジ穴とを有する基板部と、この基板部の外周縁から所定方向に延出して形成され、電線を圧着固定する固定部とを備え、前記基板部における板状部の電線に接続する側の端面に板状弾性突起が一体的に設けられたものである。このような従来の圧着端子では、板状弾性突起の先端が電線に食い込むことにより、圧着端子と電線が強固に圧着される。このため、前記板状弾性突起自身のバネ作用により、接続後の圧着端子の受ける振動が吸収緩和され、接続部における弛みの発生を防ぎ、接触不良による発熱等の問題に対処することを可能としている。
なお、この特許文献１に示される従来の圧着端子においても、図１５に示す圧着端子と同様に、固定部に圧着固定される電線の中心線が、ネジ穴の中心線と交差するように形成されている。
【先行技術文献】
【特許文献】
【０００８】
【特許文献１】実開平６−２３１６４号公報
【発明の概要】
【発明が解決しようとする課題】
【０００９】
ところで、電気設備の制御盤等の機器相互の配線においては、１つの端子台のある箇所から、複数の電線を引き出したい場合がある。このような場合、従来では、圧着端子１つに対して電線１本を接続し、その接続状態とした複数の圧着端子を、例えば背中合わせ等のように互いに重ね合わせて端子台に固定する手段がとられていた。
【００１０】
しかしながら、従来の圧着端子においては、電線を固定する固定部が、端子基板部の中央部に位置されているため、それぞれ１本の電線を接続した複数の圧着端子を重ね合わせて端子台に固定した場合、複数の圧着端子の固定部及び各固定部に固定されている複数本の電線が互いに重なり合う取付け状態となる。したがって、１つの圧着端子の固定部及び電線が他の圧着端子の固定部及び電線で視覚的かつ物理的に邪魔されてしまい、複数の圧着端子の固定部及び電線に対する視認性及び端子台への取付け作業性が悪化するという問題があった。
【００１１】
本発明は、上記問題点に鑑みたものであり、１つの端子台に複数の圧着端子を固定する場合でも、複数の圧着端子が視覚的かつ物理的に互いに邪魔し合うことなく、視認性及び取付け作業性を向上できる圧着端子及び圧着端子の取付け構造を提供することを目的とする。
【課題を解決するための手段】
【００１２】
（１）  本発明は、平面状の板状部と前記板状部に形成されネジが挿通可能なネジ穴とを有する基板部と、前記基板部における外縁から所定方向に延出して形成され、前記所定方向に沿うように配置された電線を固定する固定部と、を備え、前記固定部は、該固定部に固定された電線の中心線であり前記所定方向に延びる第１中心線が、前記ネジ穴の中心を通り前記基板部における板状部に垂直な第２中心線と交差しないように形成される圧着端子を提供することにより、上記目的を達成したものである。
【００１３】
（２）  （１）の発明においては、前記固定部は、前記第２中心線を含み前記所定方向に延びる中央平面に対して一方側に位置されると共に、前記中央平面と交差しないように形成されていることが好ましい。
【００１４】
（３）  （１）の発明においては、前記固定部は、前記第２中心線を含み前記所定方向に延びる中央平面に対して一方側に位置されると共に、前記中央平面と交差するように形成されていることが好ましい。
【００１５】
（４）  （１）〜（３）の発明においては、前記固定部は、前記所定方向に延び前記電線を挿入可能な筒状部を有することが好ましい。
【００１６】
（５）  本発明は、（２）に記載の圧着端子であって前記第１中心線が前記中央平面に対して一方側に配置される第１圧着端子と、請求項２に記載の圧着端子であって前記第１中心線が前記中央平面に対して前記第１圧着端子とは反対側の他方側に位置する第２圧着端子とを、１つのネジにより所定の端子台に取付ける圧着端子の取付け構造であって、前記第１圧着端子における基板部は、前記端子台における所定位置に配置され、前記第２圧着端子における基板部は、前記第１圧着端子における基板部に積層配置されると共に、前記第１圧着端子における中央平面と前記第２圧着端子における中央平面とが略重なるように配置され、前記第１圧着端子における固定部は、該固定部に固定される電線の前記第１中心線が前記中央平面に対して一方側に位置するように配置され、前記第２圧着端子における固定部は、該固定部に固定される前記第１中心線が前記中央平面に対して他方側に位置するように配置されている圧着端子の取付け構造を提供することによっても、上記目的を達成したものである。
【００１７】
（６）  本発明は、（２）又は（３）に記載の圧着端子を、１つのネジにより所定の端子台に取付ける圧着端子の取付け構造であって、前記端子台は、端子台側ネジ穴が形成され、前記圧着端子における基板部が配置される取付け部と、前記取付け部の近傍であって、前記第２中心線方向における取付け部側と反対の上面側から見た場合における右側に形成される壁部と、を有し、前記圧着端子における固定部は、該固定部に固定される電線の前記第１中心線が、前記中央平面よりも前記壁部側に近く位置するように取付けられている圧着端子の取付け構造を提供することによっても、上記目的を達成したものである。
【００１８】
（７）  本発明は、（２）又は（３）に記載の圧着端子である第３圧着端子と、前記第３圧着端子と同じ形状である第４圧着端子とを、１つのネジにより所定の端子台に取付ける圧着端子の取付け構造であって、前記第３圧着端子における基板部は、前記端子台における所定位置に配置され、前記第４圧着端子における基板部は、前記第３圧着端子における基板部に表裏反転して積層配置されると共に、前記第３圧着端子の中央平面と前記第４圧着端子の中央平面とが略重なるように配置され、前記第３圧着端子における固定部は、該固定部に固定される電線の前記第１中心線が前記中央平面に対して一方側に位置するように配置され、前記第４圧着端子における固定部は、該固定部に固定される電線の前記第１中心線が前記中央平面に対して他方側に位置するように配置されている圧着端子の取付け構造を提供することによっても、上記目的を達成したものである。
【００１９】
（８）  本発明は、（２）に記載の圧着端子であって前記第１中心線が前記中央平面に対して一方側に配置される第１圧着端子と、請求項２に記載の圧着端子であって前記第１中心線が前記中央平面に対して前記第１圧着端子とは反対側の他方側に位置する第２圧着端子とを、第１取付け部及び第２取付け部を有する第１段部と第３取付け部を有し第１方向において前記第１段部と略平行な第２段部と、を有する端子台に取付ける圧着端子の取付け構造であって、前記第２取付け部は、前記第１取付け部に対して第２方向に並んで配置され、前記第３取付け部は、前記第２方向において、前記第１取付け部と前記第２取付け部との間に配置され、前記第１圧着端子における基板部は、前記第１段部における第１取付け部に配置され、前記第２圧着端子における基板部は、前記第１段部における第２取付け部に配置され、前記第１圧着端子における固定部は、該固定部に固定される電線の前記第１中心線が前記第１圧着端子の中央平面に対して前記第２圧着端子側と反対側に配置され、前記第２圧着端子における固定部は、該固定部に固定される電線の前記第１中心線が前記第２圧着端子の中央平面に対して前記第１圧着端子側と反対側に配置されている圧着端子の取付け構造を提供することによっても、上記目的を達成したものである。
【発明の効果】
【００２０】
本発明によれば、１つの端子台に複数の圧着端子を固定する場合でも、複数の圧着端子が視覚的かつ物理的に互いに邪魔し合うことなく、視認性及び取付け作業性を向上できる。
【図面の簡単な説明】
【００２１】
【図１】本発明の圧着端子の第１実施形態を示す（ａ）斜視図、（ｂ）正面図である。
【図２】本発明の圧着端子の取付け構造の第１実施態様及び第２実施態様を示す全体平面図である。
【図３】図２に示す圧着端子の取付け構造の全体正面図である。
【図４】図２に示す圧着端子の取付け構造の第１実施態様を拡大して示す（ａ）平面図、（ｂ）正面図である。
【図５】図４に示す圧着端子の取付け構造を示す分解斜視図である。
【図６】図２に示す圧着端子の取付け構造の第２実施態様を拡大して示す平面図である。
【図７】本発明の圧着端子の取付け構造の第３実施態様を示す（ａ）平面図、（ｂ）正面図である。
【図８】図７に示す圧着端子の取付け構造を示す分解斜視図である。
【図９】本発明の圧着端子の取付け構造の第４実施態様を示す（ａ）平面図、（ｂ）正面図である。
【図１０】本発明の圧着端子の取付け構造の第５実施態様を示す斜視図である。
【図１１】図１０に示す圧着端子の取付け構造の平面図である。
【図１２】本発明の圧着端子の第２実施形態を示す（ａ）平面図、（ｂ）正面図である。
【図１３】本発明の第２実施形態の圧着端子の取付け構造の一実施態様である第６実施態様を示す（ａ）平面図、（ｂ）正面図である。
【図１４】本発明の圧着端子の第３実施形態を示す斜視図である。
【図１５】従来の圧着端子及び圧着端子の取付け構造を示す平面図である。
【発明を実施するための形態】
【００２２】
以下、本発明の実施形態について図面を用いて説明する。
まず、本発明の圧着端子の第１実施形態について、図１（ａ）及び（ｂ）を参照しながら説明する。
第１実施形態の圧着端子１は、図１（ａ）及び（ｂ）に示すように、基板部１０と、この基板部１０における外縁から所定方向Ｉに一体に延出して形成される固定部１２と、を備える。この圧着端子１は、全体が銅等の導電性の金属により構成されている。
基板部１０は、平面状の板状部１１と、この板状部１１の中央部に形成されネジ２（図２及び図５参照）が挿通可能なネジ穴１３とを備える。
【００２３】
固定部１２は、所定方向Ｉに延びて形成され電線３を挿入可能な略半円形の筒状部１４を有する。この筒状部１４には、電線３の一端側が挿入され、筒状部１４に電線３の一端側が挿入された状態で、電線３は固定部１２に圧着固定される。
固定部１２は、図１（ａ）に示すように、筒状部１４に挿入されて圧着固定される電線３の中心線であり所定方向Ｉに延びる第１中心線Ｂが、ネジ穴１３の中心を通り基板部１０における板状部１１に垂直な第２中心線Ａと交差しない位置に形成されている。
【００２４】
また、固定部１２は、図１（ｂ）に示すように、第２中心線Ａを含み所定方向Ｉに延びる中央平面Ｃに対して一方側に偏って位置すると共に、中央平面Ｃと交差しない位置に形成されている。
【００２５】
次に、第１実施形態の圧着端子１を所定の端子台４に取付ける圧着端子の取付け構造を、図２及び図３に基づいて説明する。
図２及び図３に示すように、端子台４には、平面視矩形状であって底面に導電端子部（図示せず）を有する３つの取付け部５が図２及び図３に示す左右方向に、並列状態に形成されている。これら３つの取付け部５のうち、中央の取付け部５には、第１中心線Ｂが中央平面Ｃに対して一方側に偏って配置される第１圧着端子１Ｃが配置され、ネジ穴１３に挿通されるネジ２により端子台４に固定される。端子台４の左側の取付け部５には、第１中心線Ｂが中央平面Ｃに対して第１圧着端子１Ｃとは反対側の他方側に偏って配置される第２圧着端子１Ｄが配置され、ネジ穴１３に挿通されるネジ２により端子台４に固定される。
【００２６】
一方、端子台４の右側の取付け部５には、第１圧着端子１Ｃと同様な構成を有する第１圧着端子１Ａと第２圧着端子１Ｄと同様な構成を有する第２圧着端子１Ｂとを、１つのネジ２により端子台４に固定する圧着端子の取付け構造として、第１実施態様が採用されている。
【００２７】
第１実施態様の圧着端子の取付け構造は、図４及び図５に示すように、第１圧着端子１Ａにおける基板部１０が、端子台４の取付け部５上に配置されている。第２圧着端子１Ｂにおける基板部１０は、第１圧着端子１Ａにおける基板部１０上に積層配置されていると共に、第１圧着端子１Ａにおける中央平面Ｃと第２圧着端子１Ｂにおける中央平面Ｃとが略重なるように配置されている。第１圧着端子１Ａにおける固定部１２の筒状部１４は、該筒状部１４に挿入され圧着固定される電線３の第１中心線Ｂが中央平面Ｃに対して一方側に偏って位置するように配置されている。また、第２圧着端子１Ｂにおける固定部１２の筒状部１４は、該筒状部１４に挿入され圧着固定される電線３の第１中心線Ｂが中央平面Ｃに対して他方側に偏って位置するように配置されている。
【００２８】
上述した第１実施形態の圧着端子及び第１実施態様の圧着端子の取付け構造によれば、以下のような効果を奏する。
固定部１２を、第１中心線Ｂが第２中心線Ａと交差しない位置に設けた。これにより、１つの端子台に複数の圧着端子を固定しても、互いに圧着端子が邪魔し合うことがない。また、端子台に複数の圧着端子を取付けた場合の視認性及び作業性を向上できる。
【００２９】
また、端子台４の１つの取付け部５に、第１圧着端子１Ａ及び第２圧着端子１Ｂという二つの圧着端子を１つのネジ２により固定する場合、基板部１０同士を積層配置することが可能であるため、固定部１２同士が積層される従来の場合に比べて、嵩張らず、収まりよくコンパクトに取付けることができる。
【００３０】
また、第１圧着端子１Ａの固定部１２に圧着固定された電線３及び第２圧着端子１Ｂの固定部１２に圧着固定された電線３が中央平面Ｃに対して互いに反対側に偏って位置するように配置した。これにより、端子台４の１つの取付け部５に第１圧着端子１Ａ及び第２圧着端子１Ｂという２つの圧着端子を固定した場合でも、第１圧着端子１Ａと第２圧着端子１Ｂとが視覚的かつ物理的に互いに邪魔し合うことがない。よって、視認性及び取付け作業性を向上できる。
【００３１】
次に、本発明の圧着端子の取付け構造の第２実施態様について、図２、図３及び図６を参照しながら説明する。第２実施態様の圧着端子の取付け構造は、例えば、図２及び図３に示す端子台４の中央の取付け部５に取り付けられる第１圧着端子１Ｃにより説明できる。
第２実施態様の圧着端子の取付け構造においては、図６に示すように、端子台４は、端子台側ネジ穴（図示せず）が形成された取付け部５と、該取付け部５の近傍であって上面側から見た場合の右側に形成される壁部６と、を備える。
第１圧着端子１Ｃは、固定部１２の筒状部１４に挿入され圧着固定される電線３の第１中心線Ｂが、中央平面Ｃよりも壁部６側に近く位置するように取付け部５に取付けられる。
【００３２】
上述した第２実施態様の圧着端子の取付け構造によれば、第１圧着端子１Ｃの固定部１２に圧着固定された電線３が、端子台４における取付け部５の右側に形成される壁部６側に近く位置するように第１圧着端子１Ｃを取付けた。これにより、第１圧着端子１Ｃの取付け後において振動等の影響を受けてネジ２に、図６のＸで示す緩み方向への回転トルクが働いた場合、固定部１２及び電線３が図６のＹ方向に少し回るだけで壁部６に当たるため、それ以上のネジ２の緩み方向Ｘへの回転は阻止される。よって、ネジ２が外れてしまったり、ネジ２が緩んで第１圧着端子１Ｃの取付け状態が不確実、不安定になったりすることを防止できる。
【００３３】
次に、本発明の圧着端子の取付け構造の第３実施態様〜第５実施態様について説明する。これら第３実施態様〜第５実施態様については、上述した第１実施態様と異なる点を主に説明し、同様な点は同一の符号を付して説明を省略する。特に説明しない点は、第１実施態様についての説明が適宜適用される。
【００３４】
第３実施態様の圧着端子の取付け構造は、図７及び図８に示すように、同形状を有する第３圧着端子１Ｅ及び第４圧着端子１Ｆが積層配置されている点で第１実施態様と異なる。具体的には、端子台４の取付け部５には、第３圧着端子１Ｅにおける基板部１０が配置されている。そして、第４圧着端子１Ｆにおける基板部１０は、第３圧着端子１Ｅにおける基板部１０上に表裏反転して積層配置されていると共に、第３圧着端子１Ｅにおける中央平面Ｃと第４圧着端子１Ｆにおける中央平面Ｃとが略重なるように配置されている。
第３圧着端子１Ｅにおける固定部１２は、該筒状部１４に挿入され圧着固定される電線３の第１中心線Ｂが中央平面Ｃに対して一方側に偏って位置するように配置され、第４圧着端子１Ｆにおける固定部１２は、該筒状部１４に挿入され圧着固定される電線３の第１中心線Ｂが中央平面Ｃに対して他方側に偏って位置するように配置されている。そして、第３圧着端子１Ｅと第４圧着端子１Ｆとが、１つのネジ２により取付け部５に固定されている。
【００３５】
上述した第３実施態様の圧着端子の取付け構造によれば、同形状を有する第３圧着端子１Ｅ及び第４圧着端子１Ｆを用い、第４圧着端子１Ｆを、第３圧着端子１Ｅに対して表裏反転して積層配置した。これにより、第３圧着端子１Ｅにおける固定部１２の厚さ方向の大部分が第４圧着端子１Ｆにおける基板部１０の厚さ内に収まり、第４圧着端子１Ｆにおける固定部１２の厚さ方向の大部分が第３圧着端子１Ｅにおける基板部１０の厚さ内に収まる。よって、圧着端子取付け部全体の嵩を小さくできるので、端子台に対して圧着端子をコンパクトに取付けることができる。
【００３６】
次に、本発明の圧着端子の取付け構造の第４実施態様について、図９（ａ）及び図９（ｂ）を参照しながら説明する。
図９（ａ）及び（ｂ）に示すように、第４実施態様の圧着端子の取付け構造では、第３実施態様の圧着端子の取付け構造に対して、更に同形状の圧着端子である第５圧着端子１Ｇが積層されている。第５圧着端子１Ｇは、第４圧着端子１Ｆの上面側に、第３圧着端子１Ｅと同じ向きで積層されている。そして、これら第３圧着端子１Ｅ、第４圧着端子１Ｆ及び第５圧着端子１Ｇは、１つのネジ２により端子台４の取付け部５に固定されている。
【００３７】
上記第４実施態様の圧着端子の取付け構造では、第３圧着端子１Ｅ、第４圧着端子１Ｆ及び第５圧着端子１Ｇのそれぞれにおける固定部１２の厚さｔは、基板部１０の厚さｔ１以下に構成されている。
【００３８】
上述した第４実施態様の圧着端子の取付け構造によれば、第３圧着端子１Ｅ、第４圧着端子１Ｆ及び第５圧着端子１Ｇにおける固定部１２の厚さｔを、基板部１０の厚さｔ１以下に構成した。これにより、３つの圧着端子１Ｅ，１Ｆ，１Ｇの積層配置により１つの取付け部から３本の電線３を引き出すことが可能で、実装密度の向上を図れる。また、第３圧着端子１Ｅ、第４圧着端子１Ｆ及び第５圧着端子１Ｇを傾かせることなく、安定よく、かつ、収まりよくコンパクトに取付けることができる。
【００３９】
次に、本発明の圧着端子の取付け構造の第５実施態様について、図１０及び図１１を参照しながら説明する。
第５実施形態の圧着端子の取付け構造に用いる端子台４は、第１取付け部５Ｃ及び第２取付け部５Ｄを有する第１段部４Ａと、第３取付け部５Ｅを有し図１１に示す第１方向ｘ−ｘにおいて第１段部４Ａと略平行な第２段部４Ｂとを備える。
【００４０】
第１段部４Ａにおいては、第２取付け部５Ｄは、第１取付け部５Ｃに対して第１方向ｘ−ｘに直交する第２方向ｙ−ｙに並んで配置される。また、第２段部４Ｂにおいては、第３取付け部５Ｅは、第２方向ｙ−ｙにおいて、前記第１取付け部５Ｃと第２取付け部５Ｄとの中間部に配置される。
第１取付け部５Ｃには、第１中心線Ｂが中央平面Ｃに対して一方側に偏って配置される第１圧着端子１Ａが取付けられる。第２取付け部５Ｄには、第１中心線Ｂが中央平面Ｃに対して他方側に偏って配置される第２圧着端子１Ｂが取付けられる。第３取付け部５Ｅには、第６圧着端子１Ｈが取付けられる。この第６圧着端子１Ｈは、第１中心線Ｂが中央平面Ｃ上に配置される圧着端子である。
【００４１】
第１圧着端子１Ａにおける基板部１０は、第１段部４Ａにおける第１取付け部５Ｃに配置されてネジ２により固定され、第２圧着端子１Ｂにおける基板部１０は、第１段部４Ａにおける第２取付け部５Ｄに配置されネジ２により固定される。これによって、第１圧着端子１Ａにおける固定部１２は、該固定部１２に圧着固定される電線３の第１中心線Ｂが第１圧着端子１Ａの中央平面Ｃに対して第２圧着端子１Ｂ側とは反対側に配置され、第２圧着端子１Ｂにおける固定部１２は、該固定部１２に圧着固定される電線３の第１中心線Ｂが第２圧着端子１Ｂの中央平面Ｃに対して第１圧着端子１Ａ側とは反対側に配置される。
【００４２】
また、前記第６圧着端子１Ｈにおける基板部１０は、第２段部４Ｂにおける第３取付け部５Ｅに配置されネジ２により固定される。これによって、第６圧着端子１Ｈの固定部１２に圧着固定される電線３は、第１圧着端子１Ａの固定部１２に圧着固定される電線３と第２圧着端子１Ｂの固定部１２に圧着固定される電線３との間の中央位置においてそれら電線３と平行に配置されている。
【００４３】
上述した第５実施態様の圧着端子の取付け構造によれば、第１段部４Ａ及び第２段部４Ｂを有する２段の端子台４を用いて、第１段部４Ａの互いに離れた第１取付け部５Ｃ及び第２取付け部５Ｄに第１圧着端子１Ａ及び第２圧着端子１Ｂを取付け、第２段部４Ｂの中央の第３取付け部５Ｅに第６圧着端子１Ｈを取付けた。これにより、３つの圧着端子１Ａ，１Ｂ，１Ｈ、及びそれぞれの固定部１２に圧着固定された電線３が視覚的かつ物理的に邪魔し合うことがない。よって、端子台４に取り付けた圧着端子及び電線の視認性及び取付け作業性を向上できる。
【００４４】
次に、本発明の圧着端子の第２実施形態について、図１２（ａ）及び（ｂ）を参照しながら説明する。この第２実施形態については、上述した第１実施形態と異なる点のみを説明し、同様な点は同一の符号を付して説明を省略する。
【００４５】
第２実施形態の圧着端子１は、図１２（ａ）及び（ｂ）に示すように、固定部１２の筒状部１４の一部が、第２中心線Ａを含み所定方向Ｉに延びる中央平面Ｃに対して一方側に突出して位置すると共に、中央平面Ｃと交差するように形成されている。
【００４６】
第２実施形態の圧着端子１を所定の端子台に取付ける圧着端子の取付け構造の第６実施態様を、図１３に基づいて説明する。
第６実施態様の圧着端子の取付け構造は、図１３（ａ）及び（ｂ）に示すように、第３実施態様と同様に、同形状を有する２つの圧着端子が積層配置されて構成されている。具体的には、端子台４の取付け部５には、一方の圧着端子１における基板部１０が配置されている。そして、他方の圧着端子１における基板部１０は、一方の圧着端子１における基板部１０上に表裏反転して積層配置されていると共に、一方の圧着端子１における中央平面Ｃと他方の圧着端子１における中央平面Ｃとが略重なるように配置されている。そして、２つの圧着端子１が、１つのネジ２により取付け部５に固定されている。
【００４７】
第６実施態様の圧着端子の取付け構造によれば、同形状を有する２つの圧着端子１を用い、他方の圧着端子１、一方の圧着端子１に対して表裏反転して積層配置した。これにより、２つの圧着端子１を取付けた端子台４を上面から視た場合に、一方の圧着端子１の固定部１２に圧着固定された電線３及び他方の圧着端子１の固定部１２に圧着固定された電線３が一部重なるだけの状態に配置することが可能となる。よって、端子台４の１つの取付け部５に２つの圧着端子を固定する場合でも、２つの圧着端子１，１及び電線３が視覚的かつ物理的に邪魔し合うことが少ないので、端子台４に取付けた圧着端子１及び電線３の視認性及び取付け作業性を向上できる。
【００４８】
以上、本発明の圧着端子の好ましい実施形態及び本発明の圧着端子の取付け構造の好ましい実施態様について説明したが、本発明は上記各実施形態及び実施態様に制限されることなく、適宜変更可能である。
例えば、上記の各実施形態では、固定部１２が略半円状の筒状部１４を有するものであると説明したが、これに限らない。即ち、図１４に示すように、基板部１０における外縁から所定方向に延出して形成される固定部１２の幅方向両側辺に舌片状の折曲げ片８を設けてもよい。これによると、電線３を狭い筒状部に挿入する必要がなく、電線３を固定部１２上に載せた状態で折曲げ片８を電線３側に折り曲げることにより、折曲げ片８の先端部を電線３の被覆内に食い込ませて電線３を固定部１２に容易かつ確実に圧着固定できる。
【００４９】
また、第５実施態様の圧着端子の取付け構造においては、第２段部４Ｂにおける第３取付け部５Ｅに、従来の圧着端子１Ｈを取付け固定したが、この第３取付け部５Ｅに、第１圧着端子１Ａ又は第２圧着端子１Ｂを取付け固定してもよい。
【符号の説明】
【００５０】
１  圧着端子
１Ａ，１Ｃ  第１圧着端子
１Ｂ，１Ｄ  第２圧着端子
１Ｅ  第３圧着端子
１Ｆ  第４圧着端子
１Ｇ  第５圧着端子
１Ｈ  第６圧着端子
２  ネジ
３  電線
４  端子台
４Ａ  第１段部
４Ｂ  第２段部
５  取付け部
５Ｃ  第１取付け部
５Ｄ  第２取付け部
５Ｅ  第３取付け部
６  壁部
８  折曲げ片
１０  基板部
１１  板状部
１２  固定部
１３  ネジ穴
１４  筒状部
Ａ  第２中心線
Ｂ  第１中心線
Ｃ  中央平面
【図１】
2010244890.tif 000003
【図２】
2010244890.tif 000004
【図３】
2010244890.tif 000005
【図４】
2010244890.tif 000006
【図５】
2010244890.tif 000007
【図６】
2010244890.tif 000008
【図７】
2010244890.tif 000009
【図８】
2010244890.tif 000010
【図９】
2010244890.tif 000011
【図１０】
2010244890.tif 000012
【図１１】
2010244890.tif 000013
【図１２】
2010244890.tif 000014
【図１３】
2010244890.tif 000015
【図１４】
2010244890.tif 000016
【図１５】
2010244890.tif 000017